(57)【要約】【課題】可視画像を形成可能な領域を有する任意の記録形光ディスクに、１つ又は複数の可視画像を形成、追記、及び複製できる光ディスク記録方法、光ディスク記録プログラム、光ディスク記録装置を提供する。【解決手段】光ディスクを記録完結状態として追記不能にしてから、光ディスクの空きエリアに可視画像を形成する。また、光ディスクのデータ記録面に可視画像、及びこの可視画像を光ディスクのデータ記録面に形成するための情報である可視画像形成情報を記録する。これにより、可視画像形成後に別の音楽データやコンピュータ用データを記録することができないので、可視画像に、誤って別のデータを重ねて記録することを防止できる。また、可視画像形成情報に基づいて可視画像を別の光ディスクに記録できる。【選択図】図６
2006302503.tif 000002
【特許請求の範囲】
【請求項１】
光ディスクのデータ記録面にレーザ光を照射し、ピットを形成して情報を記録するプロセスを用いて、所望の形状の可視画像を形成する光ディスク記録方法であって、
上記可視画像とともに、上記可視画像を光ディスクのデータ記録面に形成するための、光ディスクの中心を原点とする極座標系のレーザ光照射制御情報であるレーザ光照射パターン情報を、同一の光ディスクに記録する光ディスク記録方法。
【請求項２】
前記レーザ光照射パターン情報を記録してから、前記光ディスクを記録完結状態として追記不能にする請求項１に記載の光ディスク記録方法。
【請求項３】
前記光ディスクを記録完結状態として追記不能にしてから、前記レーザ光照射パターン情報を、前記光ディスクの空きエリアに記録する請求項１に記載の光ディスク記録方法。
【請求項４】
前記可視画像の形成開始アドレスと、前記可視画像の形成終了アドレスと、を含む情報を、前記可視画像を形成する光ディスクに記録する請求項１乃至３のいずれかに記載の光ディスク記録方法。
【請求項５】
前記可視画像の直交座標系の画像データを、さらに前記可視画像を形成する光ディスクに記録する請求項１乃至４のいずれかに記載の光ディスク記録方法。
【請求項６】
光ディスクのデータ記録面にレーザ光を照射し、ピットを形成して情報を記録するプロセスを用いて、所望の形状の可視画像を形成する光ディスク記録方法であって、
上記可視画像とともに、上記可視画像を光ディスクのデータ記録面に形成するための光ディスクの中心を原点とする極座標系のレーザ光照射制御情報であるレーザ光照射パターン情報を、前記光ディスクを記録完結状態として追記不能にしてから、同一の光ディスクの空きエリアに記録する光ディスク記録方法。
【請求項７】
光ディスクのデータ記録面にレーザ光を照射し、ピットを形成して情報を記録するプロセスを用いて、所望の形状の可視画像を形成する光ディスク記録方法であって、
上記可視画像とともに、上記可視画像を光ディスクのデータ記録面に形成するための情報と、上記可視画像の直交座標系の画像データと、を含む可視画像形成情報を、前記光ディスクを記録完結状態として追記不能にしてから、同一の光ディスクの空きエリアに記録する光ディスク記録方法。
【請求項８】
光ディスクのデータ記録面にレーザ光を照射し、ピットを形成して情報を記録するプロセスを用いて、所望の形状の可視画像を光ディスクのデータ記録面に形成するための情報である可視画像形成情報を、複製元の光ディスクから複製先の光ディスクに複製し、上記複製した可視画像形成情報に基づいて、上記複製先の光ディスクに上記可視画像を形成する光ディスク記録方法。
【請求項９】
光ディスクのデータ記録面にレーザ光を照射し、ピットを形成して情報を記録するプロセスを用いて、所望の形状の可視画像を形成する光ディスク記録装置に、上記可視画像とともに、上記可視画像を光ディスクのデータ記録面に形成するための、光ディスクの中心を原点とする極座標系のレーザ光照射制御情報であるレーザ光照射パターン情報を、記録する手順を実行させるための光ディスク記録プログラム。
【請求項１０】
前記光ディスク記録装置に、前記レーザ光照射パターン情報を記録する手順、前記光ディスクを記録完結状態として追記不能にする手順を実行させるための請求項９記載の光ディスク記録プログラム。
【請求項１１】
前記光ディスク記録装置に、前記光ディスクを記録完結状態として追記不能にする手順、前記レーザ光照射パターン情報を、前記光ディスクの空きエリアに記録する手順を実行させるための請求項９に記載の光ディスク記録プログラム。
【請求項１２】
前記光ディスク記録装置に、前記可視画像の形成開始位置アドレスと、前記可視画像の形成終了アドレスと、を含む情報を記録する手順を実行させるための請求項９乃至１１のいずれかに記載の光ディスク記録プログラム。
【請求項１３】
前記光ディスク記録装置に、前記可視画像の直交座標系の画像データを、さらに記録する手順を実行させるための請求項９乃至１２のいずれかに記載の光ディスク記録プログラム。
【請求項１４】
光ディスクのデータ記録面にレーザ光を照射し、ピットを形成して情報を記録するプロセスを用いて、所望の形状の可視画像を形成する光ディスク記録装置に、光ディスクを記録完結状態として追記不能にする手順、上記可視画像とともに、上記可視画像を光ディスクのデータ記録面に形成するための光ディスクの中心を原点とする極座標系のレーザ光照射制御情報であるレーザ光照射パターン情報を、前記光ディスクの空きエリアに記録する手順を実行させるための光ディスク記録プログラム。
【請求項１５】
光ディスクのデータ記録面にレーザ光を照射し、ピットを形成して情報を記録するプロセスを用いて、所望の形状の可視画像を形成する光ディスク記録装置に、光ディスクを記録完結状態として追記不能にする手順、上記可視画像とともに、上記可視画像を光ディスクのデータ記録面に形成するための情報と、上記可視画像の直交座標系の画像データと、を含む可視画像形成情報を、前記光ディスクの空きエリアに記録する手順を実行させるための光ディスク記録プログラム。
【請求項１６】
光ディスクのデータ記録面にレーザ光を照射し、ピットを形成して情報を記録するプロセスを用いて、所望の形状の可視画像を形成する光ディスク記録装置に、上記可視画像を光ディスクのデータ記録面にデータ変換不要に形成するための情報であるレーザ光照射パターン情報を、複製元の光ディスクから複製先の光ディスクに複製する手順、上記複製したレーザ光照射パターン情報に基づいて、上記複製先の光ディスクに可視画像を形成する手順を実行させるための光ディスク記録プログラム。
【請求項１７】
請求項９乃至１６のいずれかに記載の光ディスク記録プログラムを実行する制御手段、及び上記制御手段の指示に従ってデータ及び前記可視画像を光ディスクに記録・形成する記録手段を備えた光ディスク記録装置。
【発明の詳細な説明】
【技術分野】
【０００１】
この発明は、記録形光ディスクのデータ記録面に、視認可能な画像を、形成、追記、及び複製する光ディスク記録方法、光ディスク記録プログラム、及び光ディスク記録装置に関する。
【背景技術】
【０００２】
記録形光ディスクは、レーザ光を照射して光学的にデータを記録することができ、ＣＤ−Ｒ、ＤＶＤ−Ｒなどのように一度だけデータを記録可能な追記形光ディスク、ＣＤ−ＲＷ、ＤＶＤ−ＲＷ、ＤＶＤ＋ＲＷ、ＤＶＤ−ＲＡＭなどのようにデータを書き換え可能な書換形光ディスクがある。
【０００３】
追記形光ディスクでは、その有機色素層（記録層）にレーザ光が照射されると、このレーザ光の熱で有機色素層が溶けてピットが形成される。追記形光ディスクには、この特性を利用してデータが記録される。また、書換形光ディスクでは、その記録層にレーザ光が照射されると、このレーザ光の熱で記録層の状態がアモルファス（非晶）状態又は結晶状態に相変化して、ピット又はランドに相当する部分が形成される。書換形光ディスクには、この特性を利用してデータが記録される。
【０００４】
このように、記録形光ディスクでは、レーザ光を照射してデータを記録した部位にはピットが形成されるため、データを記録した部位とデータを未記録の部位とで光の反射率が異なり、又、記録面に色の濃淡が発生する。この特性を利用することで、記録形光ディスクのデータ記録面にレーザ光を照射して、文字、記号、絵画、写真などを所望の形状の視認可能な画像（以下、可視画像と称する。）として形成することができる。記録形光ディスクのデータ記録面に可視画像として、例えば、記録データに関する情報を表示するようにすると、光ディスクのレーベル面に記録データに関する情報を手書きしたり印刷したりする必要がなくなり、又、容易に光ディスクの記録内容を判別することができる。
【０００５】
従来の光ディスク記録装置は、以下の手順で記録形光ディスクに可視画像を形成していた。
【０００６】
１．光ディスク記録装置は、光ディスクがセットされると、まず、物理的にデータを記録可能であるか否か、つまり、ＣＤ−ＤＡやＣＤ−ＲＯＭなどの再生専用形光ディスクであるか、ＣＤ−ＲやＣＤ−ＲＷなどの記録形光ディスクであるか、を確認する。
【０００７】
２．光ディスク記録装置は、セットされた光ディスクが再生専用形光ディスクであると、可視画像の形成処理を中止する。一方、光ディスク記録装置は、セットされた光ディスクが記録形光ディスクであると、ＴＯＣ（Table Of Contents ）情報又はＰＭＡ（Program Memory Area ）の仮ＴＯＣ情報を確認して、データ領域の終端位置を取得する。この時、光ディスク記録装置は、ＴＯＣ情報や仮ＴＯＣ情報の無い光ディスク、つまりデータが記録されていないブランクディスクの場合は、可視画像の形成処理を中止する。
【０００８】
３．光ディスク記録装置は、光ディスクに可視画像を形成可能であると、可視画像として形成する画像の編集や変換を、自動で又はユーザの指示により行う。
【０００９】
４．光ディスク記録装置は、ユーザから光ディスクに可視画像の形成指示があると、データが記録された終端以降の未記録エリアに可視画像の形成を行う。この時、光ディスク記録装置は、ＥＦＭ（Eight to Fourteen Modulation）変調されたＲＦ信号のように後から読み出すことができるデータとして可視画像を形成するのではなく、画像として認識できるように可視画像を形成する。
【００１０】
５．光ディスク記録装置は、別の記録形光ディスクに別の可視画像を形成する場合、直前に光ディスクに形成した可視画像に関するデータ（元データや書き込み用のデータ）を保存せずに、上記１〜４の工程を行う。
【発明の開示】
【発明が解決しようとする課題】
【００１１】
上記のような手順で記録形光ディスクに可視画像を形成する従来の光ディスク記録装置では、以下のような問題があった。
【００１２】
（１）従来の光ディスク記録装置では、データを追記可能な記録形光ディスク（ディスククローズされていない記録形光ディスク）に、可視画像の形成が可能であった。また、可視画像を形成した光ディスクには、可視画像の形成範囲に関する情報は記録されていなかった。そのため、ディスククローズを行っていない光ディスクに、可視画像を形成してから別のデータを追記した場合、形成した可視画像に別のデータを重ね書きする可能性があった。つまり、光ディスク記録装置は、上記のように可視画像の形成範囲に関する情報が光ディスクに記録されていないので、可視画像の形成範囲を把握することができず、記録データ量や可視画像を形成した位置によっては、可視画像を形成した領域にまでデータを記録してしまう可能性があった。この場合、可視画像と記録データとが重なって、その部分の記録データを読み出すことができなくなってしまう。
【００１３】
（２）従来の光ディスク記録装置では、ＴＯＣ情報や仮ＴＯＣ情報が記録されていないブランクディスクには、可視画像を形成できないという問題があった。そのため、ユーザは、ブランクディスクに可視画像を形成しようとするときには、可視画像の形成前に、任意のデータを記録しておく必要があった。
【００１４】
（３）従来の光ディスク記録装置では、可視画像を形成する際に毎回可視画像用のデータを作成し、可視画像用の元データや書き込み用データを保存していなかったため、全く同じ可視画像を別の光ディスクに形成できないという問題があった。
【００１５】
（４）従来の光ディスク記録装置は、可視画像を、音楽データやコンピュータ用データなどのようなＥＦＭ変調したＲＦ信号として記録していないため、光ディスクに形成された可視画像のデータを完全に読み出すことができなかった。また、可視画像はデータとして認識されないので、１つの光ディスクから別の光ディスクに可視画像を複製することができないという問題があった。
【００１６】
（５）従来の光ディスク記録装置は、光ディスクに可視画像を形成する際に可視画像の形成範囲に関する情報を記録していないため、可視画像を一度形成すると、可視画像を形成した光ディスクの外周側に未記録エリアが残っていたとしても、既に形成された可視画像と重なることなく、確実には可視画像を追記することができない可能性があるという問題があった。そのため、従来の光ディスク記録装置では、通常、一度しか光ディスクに可視画像を形成することができなかった。
【００１７】
そこで、本発明は、これらの問題を解決して、可視画像を形成可能な領域を有する任意の記録形光ディスクに、１つ又は複数の可視画像を形成、追記、及び複製できる光ディスク記録方法、光ディスク記録プログラム、光ディスク記録装置を提供することを目的とする。
【課題を解決するための手段】
【００１８】
この発明は、上記の課題を解決するための手段として、以下の構成を備えている。
【００１９】
（１）光ディスクのデータ記録面にレーザ光を照射し、ピットを形成して情報を記録するプロセスを用いて、所望の形状の可視画像を形成する光ディスク記録方法であって、
上記可視画像とともに、上記可視画像を光ディスクのデータ記録面に形成するための、光ディスクの中心を原点とする極座標系のレーザ光照射制御情報であるレーザ光照射パターン情報を、同一の光ディスクに記録する。
【００２０】
この構成においては、光ディスクのデータ記録面に可視画像、及びこの可視画像を光ディスクのデータ記録面に形成するための、光ディスクの中心を原点とする極座標系のレーザ光照射制御情報であるレーザ光照射パターン情報を記録・形成する。したがって、光ディスクに形成された可視画像は、ＥＦＭ信号で記録されていないため、そのまま別の光ディスクに複製することは困難であるが、光ディスクに可視画像を形成する際に、可視画像とともにレーザ光照射パターン情報を記録するので、この可視画像を別の光ディスクに複製したい場合は、元の光ディスクに記録されたレーザ光照射パターン情報を読み出して、このレーザ光照射パターン情報に基づいて画像変換を行うことなく速やかに可視画像を別の光ディスクに形成することが可能となる。
【００２１】
（２）前記レーザ光照射パターン情報を記録してから、前記光ディスクを記録完結状態として追記不能にする。
【００２２】
この構成においては、光ディスクに可視画像を形成する際に、レーザ光照射パターン情報を記録してから、光ディスクを記録完結状態として追記不能にする。したがって、レーザ光照射パターン情報を、通常のデータとして読み出すことが可能となる。
【００２３】
（３）前記光ディスクを記録完結状態として追記不能にしてから、前記レーザ光照射パターン情報を、前記光ディスクの空きエリアに記録する。
【００２４】
この構成においては、光ディスクに可視画像を形成する際に、光ディスクを記録完結状態として追記不能にしてから、レーザ光照射パターン情報を光ディスクの空きエリアに記録する。したがって、レーザ光照射パターン情報は、通常の光ディスク記録再生装置では読み出すことができず、隠し情報として取り扱うことができるので、特定の光ディスク記録装置でのみ、光ディスクに記録されたレーザ光照射パターン情報を読み出し、可視画像を形成することが可能となる。
【００２５】
（４）前記可視画像の形成開始アドレスと、前記可視画像の形成終了アドレスと、を含む情報を、前記可視画像を形成する光ディスクに記録する。
【００２６】
この構成においては、可視画像の形成開始位置アドレスと可視画像の形成終了位置アドレスを含む情報を、可視画像を形成する光ディスクに記録するので、形成開始位置から形成終了位置までの可視画像の形成範囲がわかり、複数の可視画像を形成する場合でも、可視画像を重なることなく形成することが可能となる。また、記録完結状態となっていない光ディスクに可視画像を形成後に、データを記録する場合でも、可視画像の形成範囲を確認できるので、既に形成された可視画像と、追記するデータと、が重ならないように記録することが可能となる。
【００２７】
（５）前記可視画像の直交座標系の画像データを、さらに前記可視画像を形成する光ディスクに記録する。
【００２８】
この構成においては、レーザ光照射パターン情報に加えて、可視画像の直交座標系の画像データを、可視画像を形成する光ディスクに記録する。ここで、直交座標系の画像データとは、パソコンなどの表示装置の画面上への表示に適した直交座標系の画像データをファイル形式で保存したものである。例えば、ｂｍｐ形式、ｇｉｆ形式、ｊｐｇ形式、ｔｉｆ形式、ｐｃｔ形式、ｄｘｆ形式などのファイル形式の画像データである。したがって、可視画像の情報を光ディスク記録装置の表示部に速やかに表示させることが可能となる。
【００２９】
（６）光ディスクのデータ記録面にレーザ光を照射し、ピットを形成して情報を記録するプロセスを用いて、所望の形状の可視画像を形成する光ディスク記録方法であって、
上記可視画像とともに、上記可視画像を光ディスクのデータ記録面に形成するための、光ディスクの中心を原点とする極座標系のレーザ光照射制御情報であるレーザ光照射パターン情報を、前記光ディスクを記録完結状態として追記不能にしてから、同一の光ディスクの空きエリアに記録する。
【００３０】
この構成においては、可視画像とともに、上記可視画像を光ディスクのデータ記録面に形成するための、光ディスクの中心を原点とする極座標系のレーザ光照射制御情報であるレーザ光照射パターン情報を、前記光ディスクを記録完結状態として追記不能にしてから、同一の光ディスクの空きエリアに記録する。したがって、可視画像を別の光ディスクに複製する場合や可視画像を編集する場合に、データを変換する時間を省略できる。
【００３１】
（７）光ディスクのデータ記録面にレーザ光を照射し、ピットを形成して情報を記録するプロセスを用いて、所望の形状の可視画像を光ディスクのデータ記録面に形成するための情報である可視画像形成情報を、複製元の光ディスクから複製先の光ディスクに複製し、上記複製した可視画像形成情報に基づいて、上記複製先の光ディスクに上記可視画像を形成する。
【００３２】
この構成においては、可視画像形成情報を複製先の光ディスクに複製後に、この可視画像形成情報に基づいて可視画像を上記複製先の光ディスクに形成する。したがって、複製元の光ディスクに形成された可視画像とほぼ同様の可視画像を、複製先の光ディスクに形成することが可能となる。また、複製元の光ディスクに可視画像形成情報のみが記録されていても、この可視画像形成情報を複製することで複製先の光ディスクに可視画像を形成することができるので、どの光ディスクからの複製であるかを知ることができ、また、広告などに利用することが可能となる。
【発明の効果】
【００３３】
本発明によれば、以下のような効果を得ることができる。
【００３４】
（１）光ディスクのデータ記録面に可視画像、及びこの可視画像を光ディスクのデータ記録面に形成するための、光ディスクの中心を原点とする極座標系のレーザ光照射制御情報であるレーザ光照射パターン情報を記録・形成するので、この可視画像を別の光ディスクに形成したい場合には、元の光ディスクに記録されたレーザ光照射パターン情報を読み出して、このレーザ光照射パターン情報に基づいて画像変換を行うことなてく速やかに可視画像を別の光ディスクに形成できる。
【００３５】
（２）光ディスクに可視画像を形成する際に、レーザ光照射パターン情報を記録してから、光ディスクを記録完結状態として追記不能にするため、レーザ光照射パターン情報を、通常のデータとして読み出すことができる。
【００３６】
（３）光ディスクに可視画像を形成する際に、光ディスクを記録完結状態として追記不能にしてから、レーザ光照射パターン情報を光ディスクの空きエリアに記録するので、レーザ光照射パターン情報は、通常の光ディスク記録再生装置では読み出すことができず、隠し情報として取り扱うことができ、特定の光ディスク記録装置でのみ、光ディスクに記録装置でのみ、光ディスクに記録されたレーザ光照射パターン情報を読み出し、可視画像を形成することができる。
【００３７】
（４）可視画像の形成開始位置アドレスと可視画像の形成終了位置アドレスを含む情報を、可視画像を形成する光ディスクに記録するので、形成開始位置から形成終了位置までの可視画像の形成範囲がわかり、複数の可視画像を形成する場合でも、可視画像を重なることなく形成できる。また、記録完結状態となっていない光ディスクに可視画像を形成後に、データを記録する場合でも、可視画像の形成範囲を確認できるので、既に形成された可視画像と、追記するデータと、が重ならないように記録できる。
【００３８】
（５）レーザ光照射パターン情報に加えて、可視画像の直交座標系の画像データを、可視画像を形成する光ディスクに記録するので、可視画像の情報を光ディスク記録装置の表示部に速やかに表示させることができる。
【００３９】
（６）可視画像とともに、上記可視画像を光ディスクのデータ記録面に形成するための、光ディスクの中心を原点とする極座標系のレーザ光照射制御情報であるレーザ光照射パターン情報を、前記光ディスクを記録完結状態として追記不能にしてから、同一の光ディスクの空きエリアに記録するので、可視画像を別の光ディスクに複製する場合や可視画像を編集する場合に、データを変換する時間を省略できる。
【００４０】
（７）可視画像形成情報を複製先の光ディスクに複製後に、この可視画像形成情報に基づいて可視画像を上記複製先の光ディスクに形成するので、複製元の光ディスクに形成された可視画像とほぼ同様の可視画像を、複製先の光ディスクに形成できる。また、複製元の光ディスクに可視画像形成情報のみが記録されていても、この可視画像形成情報を複製することで複製先の光ディスクに可視画像を形成することができ、どの光ディスクからの複製であるかを知ることができ、また、広告などに利用できる。
【発明を実施するための最良の形態】
【００４１】
以下に、本発明の実施形態に係る光ディスク記録装置について説明する。図１は、本発明の実施形態に係る光ディスク記録装置の構成を示したブロック図である。図１に示したように、本発明の実施形態に係る光ディスク記録装置１は、ホストコンピュータ３に、光ディスクドライブ２が接続された構成である。光ディスクドライブ２は、フィードモータ８、ガイドレール９、光ピックアップ１０、スピンドルモータ１１、ＲＦアンプ１２、サーボ回路１３、アドレス検出回路１４、デコーダ１５、制御部１６、エンコーダ１７、ストラテジ回路１８、レーザドライバ１９、レーザパワー制御回路２０、周波数発生器２１、エンベロープ検出回路２２、β検出回路２４、及び記憶部２５を備えている。また、ホストコンピュータ３は、表示部４、入力部５、メイン記憶部６、及びメイン制御部７を備えている。
【００４２】
フィードモータ８は、光ピックアップ１０を光ディスクＤの半径方向に移動させるための駆動力を供給するモータである。
【００４３】
ガイドレール９は、光ピックアップ１０が光ディスクＤの半径方向に移動するように、光ピックアップ１０を支持する。
【００４４】
スピンドルモータ１１は、データを記録する対象である光ディスクＤを回転駆動するモータである。また、スピンドルモータ１１の回転軸先端部には、光ディスクＤを保持（チャッキング）するためのターンテーブルなどからなる図外の光ディスク保持機構が設けられている。
【００４５】
光ピックアップ１０は、レーザダイオード、レンズ及びミラーなどの光学系、戻り光（反射光）受光素子、並びにフォーカスサーボ機構などを備えている。また、記録及び再生時には光ディスクＤに対してレーザ光を照射して、光ディスクＤからの戻り光を受光して受光信号であるＥＦＭ変調されたＲＦ信号をＲＦアンプ１２に出力する。なお、フォーカスサーボ機構は、光ピックアップ１０のレンズと光ディスクＤのデータ記録面との距離を一定に保つためのサーボ機構である。また、光ピックアップ１０は、モニタダイオードを備えており、光ディスクＤの戻り光によってモニタダイオードに電流が生じ、この電流がレーザパワー制御回路２０へ供給されるようになっている。
【００４６】
周波数発生器２１は、スピンドルモータ１１が出力した光ディスクＤの相対位置信号を検出して、光ディスクＤの回転角度や回転数を検出するための信号をサーボ回路１３に出力する。
【００４７】
ＲＦアンプ１２は、光ピックアップ１０から供給されるＥＦＭ変調されたＲＦ信号を増幅して、増幅後のＲＦ信号をサーボ回路１３、アドレス検出回路１４、エンベロープ検出回路２２、β検出回路２４、及びデコーダ１５に出力する。
【００４８】
デコーダ１５は、再生時には、ＲＦアンプ１２から供給されるＥＦＭ変調されたＲＦ信号をＥＦＭ復調して再生データを生成し、記憶部２５に出力する。また、デコーダ１５は、データ記録時には、テスト記録によって記録された領域を再生する際に、ＲＦアンプ１２から供給されたＲＦ信号をＥＦＭ復調する。
【００４９】
アドレス検出回路１４は、ＲＦアンプ１２から供給されたＥＦＭ信号からウォブル信号成分を抽出し、このウォブル信号成分に含まれる各位置の時間情報（アドレス情報）、及び光ディスクＤを識別する識別情報（ディスクＩＤ）や光ディスクＤの色素などディスクの種類を示す情報を復号し、制御部１６に出力する。なお、上記のウォブル信号成分に含まれる各位置の時間情報（アドレス情報）、及び光ディスクＤを識別する識別情報（ディスクＩＤ）やディスクの色素などディスクの種類を示す情報は、ＡＴＩＰ（Absolute time in pregroove）情報とも称する。
【００５０】
β検出回路２４は、光ディスクＤのテスト記録領域を再生している時に、ＲＦアンプ１２から供給されるＲＦ信号から再生信号品位に関するパラメータとしてβ（アシンメトリ）を算出し、算出結果を制御部１６に出力する。ここで、βは、ＥＦＭ変調された信号波形のピークレベル（符号は＋）をａ、ボトムレベル（符号は−）をｂとすると、β＝（ａ＋ｂ）／（ａ−ｂ）で求めることができる。
【００５１】
エンベロープ検出回路２２は、光ディスクＤへテスト記録を行う前に、光ディスクＤのテスト領域のどの部分からテスト記録を開始するかを検出するために、上述した光ディスクＤのカウント領域１１２ｂにおけるＥＦＭ信号のエンベロープを検出する。
【００５２】
サーボ回路１３は、スピンドルモータ１１の回転制御、並びに光ピックアップ１０のフォーカス制御、トラッキング制御、及びフィードモータ８による光ピックアップ１０の送り制御を行う。ここで、本実施形態に係る光ディスク記録装置１では、記録時には光ディスクＤを角速度一定で駆動する方式であるＣＡＶ（Constant Angular Velocity）方式と、光ディスクＤを線速度一定にして駆動する 方式であるＣＬＶ（Constant Linear Velocity）方式と、を切り替えて行うことができるようになっている。そのため、サーボ回路１３は、制御部１６から供給される制御信号に応じてＣＡＶ方式とＣＬＶ方式とを切り替える。サーボ回路１３はＣＡＶ制御の場合、周波数発生器２１によって検出されるスピンドルモータ１１の回転数が、設定された回転数と一致するように制御する。また、サーボ回路１３は、ＣＬＶ制御の場合、ＲＦアンプ１２から供給された信号のウォブル信号成分が設定された線速度倍率相当になるようにスピンドルモータ１１を制御する。
【００５３】
エンコーダ１７は、メイン制御部７から出力された記録データをＥＦＭ変調し、ストラテジ回路１８に出力する。ストラテジ回路１８は、エンコーダ１７からのＥＦＭ信号に対して時間軸補正処理などを行い、レーザドライバ１９に出力する。レーザドライバ１９は、ストラテジ回路１８から供給される記録データに応じて変調された信号と、レーザパワー制御回路２０の制御信号と、に従って光ピックアップ１０のレーザダイオードを駆動する。
【００５４】
レーザパワー制御回路２０は、光ピックアップ１０のレーザダイオードから照射されるレーザ光のパワーを制御する。具体的には、レーザパワー制御回路２０は、光ピックアップ１０のモニタダイオードから出力される電流値と、制御部１６から送信される最適なレーザパワーの目標値を示す情報と、に基づいて、最適なレーザパワーのレーザ光が光ピックアップ１０から照射されるように、レーザドライバ１９を制御する。
【００５５】
制御部１６は、ＣＰＵ、ＲＯＭ、及びＲＡＭ等から構成されており、ＲＯＭに格納されたプログラムに従って光ディスク記録装置１の各部を制御する。制御部１６は、上述したようにデータの本記録に先立ち、光ディスク記録装置１にセットされた光ディスクＤの後述するＰＣＡに対し、テスト記録を行うように装置の各部を制御する。そして、制御部１６は、ＰＣＡを再生した際に得た信号から、β検出回路２４によって検出されたβ値などの信号品位などに基づいて、光ディスク記録装置１がテスト記録を行った光ディスクＤに対して、記録エラーの無い良好な記録を行うことができる記録速度を求める処理を行う。
【００５６】
記憶部２５は、実験などを行って予め求めたデータや、光ディスク記録装置１のファームウェアなどを記憶する。
【００５７】
ホストコンピュータ３の表示部４は、光ディスクＤに記録したデータの信号品位や、光ディスク記録装置１からユーザに伝達する情報などを表示するためのものである。入力部５は、ユーザが光ディスク記録装置１の各種制御や操作を行う。メイン記憶部６は、光ディスクドライブ２で光ディスクＤに形成する可視画像に関するデータ処理を行うプログラムや可視画像を光ディスクのデータ記録面に形成するための情報である可視画像形成情報などを記憶する。メイン制御部７は、光ディスク記録装置の各部を制御する。
【００５８】
次に、光ディスクＤの領域構成について、図２を用いて説明する。図２は、光ディスクＤの領域構成を示した断面図である。光ディスクＤは、外径が１２０ｍｍであり、光ディスクＤの直径４６〜５０ｍｍの区間がリードイン領域１１４として用意され、その外周側にデータを記録するプログラム領域１１８及び残余領域１２０が用意されている。また、リードイン領域１１４よりも内周側には、パワー校正領域であるＰＣＡ（Power Calibration Area）１１２、及びプログラムメモリ領域であるＰＭＡ（Program Memory Area ）１１３が用意されている。また、内周側のＰＣＡ１１２には、テスト領域１１２ａと、カウント領域１１２ｂと、が用意されている。このテスト領域１１２ａには、前述のように本記録に先立ち、テスト記録が実施される。
【００５９】
ここで、テスト領域１１２ａとしては、テスト記録を複数回行うことができる領域が用意されている。また、カウント領域１１２ｂには、テスト記録終了時にテスト領域１１２ａのどの部分まで記録が終了しているかを示すＥＦＭ信号が記録される。したがって、次にこの光ディスクＤに対してテスト記録を行う際には、カウント領域１１２ｂのＥＦＭ信号を読み取ることにより、テスト領域１１２ａのどの位置からテスト記録を開始すれば良いかがわかるようになっている。
【００６０】
また、ＰＭＡ１１３には、データ記録中のトラック情報（仮ＴＯＣ情報）を一時的に記録する。最終的にセッションがクローズされた場合には、これらの情報はリードイン領域のＴＯＣに記録される。
【００６１】
本発明の光ディスク記録装置１は、ＣＡＶ方式で光ディスクを回転させて可視画像を形成する。また、光ディスク記録装置１では、アゾ系の低速記録形光ディスクを用いると、視認性の良い可視画像を形成させることができる。
【００６２】
以下の説明では、記録形光ディスクとしてＣＤ−Ｒを用いた場合について説明する。また、光ディスク記録装置１では、メイン制御部７がメイン記憶部６に格納されたプログラムを読み出して、又、制御部１６が記憶部２５に格納されたプログラムを読み出して、以下に説明する各動作を行う。
【００６３】
［第１形態］
まず、光ディスク記録装置１において、可視画像を記録形光ディスクに形成する際の動作について説明する。図３は、光ディスクに記録したデータ構成を示した図である。光ディスク記録装置１は、可視画像を形成する場合、光ディスクにユーザデータなどを追記できないようにディスククローズ（記録完結状態として追記不能にする。）してから、可視画像（図ではvisual imageと表記）３４を光ディスクの空きエリアに形成する。つまり、図３（Ａ）に示したように、光ディスク記録装置１は、光ディスクにデータ３１が記録されていて、この光ディスクがディスククローズされていない場合、この記録データに対してリードイン３２及びリードアウト３３を記録してセッションをクローズし、記録完結状態として追記不能にする。そして、光ディスク記録装置１は、メイン記憶部６が記憶した可視画像形成情報に基づいて、リードアウト３３より外周側の空きエリアに可視画像３４を形成する。また、図３（Ｂ）に示したように、光ディスク記録装置１は、光ディスクがブランクディスクの場合、ダミーセッション３５を記録してから、記録完結状態として追記不能にする。そして、光ディスク記録装置１は、メイン記憶部６が一時的に記憶した可視画像形成情報に基づいて、ダミーセッション３５より外周側の空きエリアに可視画像３６を形成する。なお、この場合、光ディスクに記録するデータ３１は、ユーザデータでも、可視画像を光ディスクのデータ記録面に形成するための情報である可視画像形成情報（詳細は後述）であっても良い。また、ダミーセッション３５には、ダミーデータを記録してあっても、可視画像形成情報を記録してあっても良い。さらに、可視画像は、任意の位置に形成可能である。
【００６４】
このように、光ディスク記録装置１は、光ディスクをディスククローズしてから可視画像を形成するので、可視画像形成後に別の音楽データやコンピュータ用データを記録することができない。したがって、可視画像に、誤って別のデータを重ねて記録することを防止できる。また、光ディスク記録装置１では、上記のように可視画像を形成する光ディスクがブランクディスクの場合、ダミーセッションを記録し、ディスククローズ状態としてから可視画像を形成することができる。
【００６５】
光ディスク記録装置１は、具体的には、以下のような手順で可視画像の形成を行う。図４は、光ディスク記録装置の可視画像形成動作を説明するためのフローチャートである。ここで、光ディスク記録装置１にセットした光ディスクは、記録形光ディスクとし、光ディスクの種類判定処理の説明を省略する。
【００６６】
光ディスク記録装置１のメイン制御部７は、まず、セットされた光ディスクがブランクディスクであるか否かを制御部１６に確認させる（ｓ１）。制御部１６は、光ディスクドライブ２の各部を制御して、光ディスクがブランクディスクであるか否かを確認し、セットされた光ディスクがブランクディスクの場合、メイン制御部７へその旨を伝達する信号を出力する。メイン制御部７は、この信号に基づいて、ユーザにダミーセッションを記録するか否かの選択を促す表示を表示部４に表示させる（ｓ６）。メイン制御部７は、入力部５から光ディスクにダミーセッションを記録しない旨の入力があった場合、可視画像の形成処理を終了する。一方、ｓ６において、メイン制御部７は、入力部５から光ディスクにダミーセッションを記録する旨の入力があった場合、その旨を制御部１６へ伝達する信号を出力する。制御部１６は、この信号を受信すると、光ディスクドライブ２の各部を制御して、光ディスクにダミーセッションを記録して、ディスククローズ状態とする（ｓ７）。そして、制御部１６は、メイン制御部７を介してメイン記憶部６が記憶する可視画像形成情報を取得して、この情報に基づいて光ディスクの空きエリアに可視画像を形成して（ｓ５）、可視画像形成処理を終了する。
【００６７】
一方、メイン制御部７は、ｓ１において、セットされた光ディスクがブランクディスクでない場合、次に、光ディスクがディスククローズされているかどうかを確認する（ｓ２）。光ディスクがディスククローズされている場合は、ｓ５の処理を行い、可視画像形成処理を終了する。一方、ｓ２において、光ディスクがディスククローズされていない場合は、この光ディスクをディスククローズするか否かの選択を促す表示を表示部４に表示させる（ｓ３）。メイン制御部７は、入力部５から光ディスクをディスククローズしない旨の入力があった場合、制御部１６は可視画像の形成処理を終了する。一方、メイン制御部７は、入力部５から光ディスクをディスククローズする旨の入力があった場合、制御部１６へディスククローズするように指示する信号を出力する。制御部１６は、この信号を受信すると、ｓ４以降の処理を行う。
【００６８】
［第２形態］
次に、光ディスク記録装置１を、光ディスクに可視画像及び可視画像を光ディスクのデータ記録面に形成するための情報である、可視画像形成情報を記録・形成するように設定した場合の動作について説明する。
【００６９】
ここで、光ディスク記録装置１は、光ディスクを回転させながらレーザ光を照射して可視画像を形成するので、光ディスクに形成する可視画像用のレーザ光照射パターンは極座標系の画像に基づいて作成される。一方、ホストコンピュータ３で扱う一般的な画像は、直交座標系の画像である。そのため、光ディスク記録装置１は、直交座標系の画像データを極座標系の画像データに変換してから、この極座標系の画像データに基づいて可視画像形成情報を作成し、この可視画像形成情報により光ディスクに可視画像を記録する。
【００７０】
本発明の光ディスク記録装置１では、可視画像を形成する場合、可視画像を光ディスクのデータ記録面に形成するための情報である可視画像形成情報を、可視画像とともに光ディスクに記録するように設定することができる。すなわち、本発明の光ディスク記録装置１は、可視画像形成情報として、可視画像の画像データ、可視画像の形成開始位置情報、可視画像の形成終了位置情報、次の可視画像形成情報を記録開始可能なアドレス、及びその他の情報を光ディスクに記録することができる。
【００７１】
図５は、可視画像の元画像を、直交座標系の画像及び極座標系の画像を示した図である。光ディスク記録装置１は、図５（Ａ）に示したような可視画像の元画像である直交座標系の画像データをｂｍｐ形式（画面上への表示に適したファイル形式の一例）で、光ディスクに記録する。光ディスク記録装置１は、ユーザが可視画像として形成する画像を選択、加工する際に表示部４に表示するために、この直交座標系の画像データを使用する。また、光ディスク記録装置１は、直交座標系の画像データをｂｍｐ形式で記録することで、表示部４に速やかに可視画像の画像を表示することができる。なお、ｂｍｐ形式（直交座標系の）画像データは、所定のデータ圧縮方式でデータ圧縮を行って記録している。
【００７２】
また、光ディスク記録装置１は、可視画像を光ディスクに記録するためのデータとして、レーザ光照射パターン情報を光ディスクに記録する。このレーザ光照射パターン情報は、図５（Ａ）に示した直交座標系の画像データを、図５（Ｂ）に示した極座標系の画像データに変換し、さらに、この極座標系の画像データをレーザ光照射パターン情報に変換することで得られる。光ディスク記録装置１は、レーザ光照射パターン情報を記録することで、可視画像を別の光ディスクへ複製する際に、この情報に基づいて速やかに可視画像を形成することができる。なお、レーザ光照射パターン情報は、所定のデータ圧縮方式でデータ圧縮を行って記録している。
【００７３】
上記のｂｍｐ形式の画像データ、及びレーザ光照射パターン情報は、いずれか一方のみを可視画像形成情報として記録しても良いが、両方とも記録することで、可視画像を別の光ディスクに複製する場合や可視画像を編集する場合に、光ディスク記録装置１でデータを変換する時間を省略できる。
【００７４】
また、光ディスク記録装置１は、その他の情報として、画像データの作成者名、画像データや可視画像形成情報を作成するために使用したアプリケーションソフト名やそのバージョン、画像データの作成日時などを記録する。これにより、可視画像の著作権者などの情報を明確にすることができるので、例えば、これらのデータが無い可視画像は複製できないように、可視画像形成プログラムに設定することもできる。
【００７５】
なお、光ディスク記録装置１は、上記のｂｍｐ形式の画像データ、及びレーザ光照射パターン情報をメインチャンネルデータとして、その他のデータをサブコードとして光ディスクに記録することも可能である。
【００７６】
このように、可視画像とともに可視画像形成情報を記録することにより、ある光ディスクに形成された可視画像を、別の光ディスクに容易に複製することができる。すなわち、前記のように、光ディスクに形成された可視画像は、ＥＦＭ変調されたＲＦ信号で記録されていないため、そのまま別の光ディスクに複製することは困難である。しかしながら、本発明の光ディスク記録装置１では、光ディスクに可視画像を形成する際に、同時に可視画像形成情報を記録するので、この可視画像を別の光ディスクに形成したい場合は、元の光ディスクに記録された可視画像形成情報を読み出して、この可視画像形成情報に基づいて可視画像を別の光ディスクに形成することができる。
【００７７】
また、可視画像の形成範囲（形成開始位置から形成終了位置まで）がわかるので、複数の可視画像を形成する場合でも、可視画像を重なることなく形成することができる。
【００７８】
さらに、記録完結状態となっていない光ディスクに可視画像を形成後に、データを記録する場合でも、可視画像の形成範囲を確認できるので、既に形成された可視画像と、追記するデータと、が重ならないように記録することができる。
【００７９】
光ディスクに可視画像形成情報及び可視画像を記録・形成した場合、図６に示したようなデータの構成となる。図６は、光ディスクに記録したデータの構成図である。光ディスクがブランクディスク（未記録のディスク）の場合は、図６（Ａ）に示したように、光ディスクに可視画像形成情報（図ではVI dataと表記）４１のみを記録したセッション４２を設けて、ディスククローズ状態とし、光ディスクの空きエリアに可視画像４３を形成する。また、図６（Ｂ）に示したように、光ディスクにユーザデータ４５と可視画像形成情報４６とを記録したセッション４７を設けて、ディスククローズ状態とし、光ディスクの空きエリアに可視画像４８を形成することもできる。また、図６（Ｃ）に示したように、光ディスクにユーザデータ５１が記録されていた場合は、そのセッション５３をクローズして、可視画像形成情報５２のみを記録したセッション５４を設けてディスククローズ状態とし、光ディスクの空きエリアに可視画像５５を形成することもできる。
【００８０】
次に、光ディスク記録装置１が、光ディスクに可視画像形成情報及び可視画像を形成する具体的な手順について説明する。図７、図８は、光ディスク記録装置１が可視画像形成情報及び可視画像を形成する動作を説明するためのフローチャートである。光ディスク記録装置１では、メイン制御部７が、メイン記憶部６に予め格納された可視画像記録プログラムを読み出しているものとする。
【００８１】
光ディスク記録装置１のメイン制御部７は、光ディスクに可視画像を形成する場合、まず、セットされた光ディスクがデータを記録可能であるかを確認する。具体的には、メイン制御部７は、制御部１６に光ディスクのウォブル信号の有無を確認させて、光ディスクが再生専用形光ディスクであるか、記録形光ディスクであるかを判別する（ｓ１１）。メイン制御部７は、セットされた光ディスクが再生専用形光ディスクの場合、可視画像の形成処理を終了する。一方、メイン制御部７は、セットされた光ディスクが記録形光ディスクの場合は、制御部１６にリードイン領域の記録状態を確認させる（ｓ１２）。メイン制御部７は、リードイン領域が未記録の場合、続いて制御部１６にＰＭＡのデータの有無を確認させる（ｓ１３）。メイン制御部７は、ＰＭＡにデータが記録されていない場合、ブランクディスクであるため（ｓ１４）、ユーザにダミーセッションとしてユーザデータ及び可視画像形成情報を記録するか否かを問い合わせる表示を表示部４に表示させる（ｓ１５）。メイン制御部７は、入力部５からユーザデータ及び可視画像形成情報を記録する旨の入力があった場合、まず制御部１６に、例えば第１トラックとしてメイン記憶部６に格納されたユーザデータを光ディスクへ記録させる（ｓ１６）。続いて、メイン制御部７は、制御部１６に、例えば第２トラックとしてメイン記憶部６に格納された可視画像形成情報を光ディスクへ記録させ、ディスククローズ状態とし（ｓ１７）、光ディスクの空きエリアに可視画像形成情報に基づいた可視画像を形成させる（ｓ１８）。そして、メイン制御部７は、可視画像形成処理を終了する。この場合、光ディスクは、図６（Ｂ）に示したようなデータの構成になる。
【００８２】
また、メイン制御部７は、ｓ１５において、入力部５からユーザデータ及び可視画像形成情報を記録しない旨の入力があった場合、ユーザにダミーセッションとして可視画像形成情報のみを記録するか否かを問い合わせる表示を、表示部４に表示させる（ｓ１９）。メイン制御部７は、入力部５から可視画像形成情報のみを記録する旨の入力があった場合、メイン記憶部６に格納された可視画像形成情報を制御部１６に光ディスクへ記録させ、ディスククローズ状態とし（ｓ１７）、可視画像形成情報に基づいた可視画像を光ディスクの空きエリアに形成させる（ｓ１８）。そして、メイン制御部７は、可視画像形成処理を終了する。この場合、光ディスクは、図６（Ａ）に示したようなデータの構成になる。一方、メイン制御部７は、ｓ１９において、入力部５からダミーセッションを記録しない旨の入力があった場合、可視画像形成処理を終了する。
【００８３】
また、メイン制御部７は、ｓ１３において、ＰＭＡにデータが記録されている場合、データを記録途中のディスクであるため（ｓ２１）、ユーザにセッションのクローズを行うか否かを問い合わせる表示を表示部４に表示させる（ｓ２２）。メイン制御部７は、入力部５からセッションクローズを行わない旨の入力があった場合、可視画像形成処理を終了する。しかし、メイン制御部７は、入力部５からセッションクローズを行う旨の入力があった場合、制御部１６に光ディスクのセッションクローズを行わせる（ｓ２３）。そして、メイン制御部７は、制御部１６に、メイン記憶部６に格納した可視画像形成情報のセッションを光ディスクに記録させ、ディスククローズ状態とする（ｓ１７）。さらに、光ディスクの空きエリアに、メイン記憶部６に格納された可視画像形成情報に基づいて可視画像を形成させる（ｓ１８）。そして、メイン制御部７は、可視画像形成処理を終了する。この場合、光ディスクは、図６（Ｃ）に示したようなデータの構成になる。
【００８４】
メイン制御部７は、ｓ１２において、セットされた光ディスクにリードインエリアが設けられている場合、図８に示したように、制御部１６に光ディスクがマルチセッションディスクであるか否かを確認させる（ｓ３１）。ここで、リードインエリアにサブコード情報としてＴＯＣ情報が記録されており、サブコード情報中の項目がＡＤＲ＝５，ＴＮＯ＝０，ＰＯＩＮＴ＝＄Ｂ０の時、マルチセッションディスクである。メイン制御部７は、光ディスクがマルチセッションディスクであるか否かを判定し（ｓ３２）、マルチセッションディスクでない場合、記録完結処理されて追記不能にされたシングルセッションディスクであるので（ｓ３３）、制御部１６に図７に示したｓ１７以降の処理を行わせる。この場合、光ディスクは、図６（Ｃ）に示したようなデータの構成になる。
【００８５】
また、メイン制御部７は、ｓ３２において、光ディスクがマルチセッションディスクである場合、制御部１６に次のセッションにおけるリードインの有無を確認させる（ｓ３４）。メイン制御部７は、光ディスクにリードインが記録されている場合、制御部１６に再度ｓ３１の処理を行わせて、さらに複数のセッションがあるかを確認させる。一方、メイン制御部７は、ｓ３４において、リードインが記録されていない場合、制御部１６にＰＭＡのデータの有無を確認させる（ｓ３５）。メイン制御部７は、光ディスクに該当するＰＭＡデータが記録されていない場合、図７に示したｓ１７以降の処理を行う。この場合、光ディスクは、図６（Ｃ）に示したようなデータの構成になる。
【００８６】
また、メイン制御部７は、光ディスクにＰＭＡデータが記録されている場合、この光ディスクが記録途中のマルチセッションディスクであるとして（ｓ３６）、ユーザにディスククローズを行うか否かを問い合わせる表示を表示部４に表示させる（ｓ３７）。メイン制御部７は、入力部５からディスククローズを行わない旨の入力があった場合、可視画像形成処理を終了する。一方、メイン制御部７は、入力部５からディスククローズ状態とする入力があった場合、制御部１６はディスククローズ状態とし、続いてｓ１８の処理を行う。この場合、光ディスクは、図６（Ｃ）に示したようなデータの構成になる。
【００８７】
次に、光ディスク記録装置１で光ディスクに形成する可視画像を決定する際の具体的な手順について説明する。図９は、光ディスク記録装置１で光ディスクに形成する可視画像を決定する際の具体的な手順を説明するためのフローチャートである。図１０は、可視画像作成プログラムの表示例である。まず、図１０（Ａ）に示したように、ユーザは、光ディスク記録装置１の表示部４に、表示された可視画像作成プログラムのアイコン６１を選択して、可視画像作成プログラムの起動操作を行う。光ディスク記録装置１のメイン制御部７は、この操作を検出すると、メイン記憶部６が記憶する可視画像作成プログラムを読み出して起動する（ｓ４１）。そして、図１０（Ｂ）に示したように、メイン制御部７は、表示部４に、可視画像として光ディスクに形成したい任意の文字や絵画（直交座標系の画像データ）などを設定するよう、ユーザに促す表示６２を表示させる（ｓ４２）。図１０（Ｃ）に示したように、ユーザは、この表示に従って、可視画像として光ディスクに記録する任意の文字や絵画などの画像６３を設定する。この時、ユーザは、任意の文字を入力部５から入力しても良いし、画像作成ソフトで任意の画像を作成しても良い。また、ホストコンピュータ３のメイン記憶部６が記憶している文字データや画像データを読み出しても良い。さらには、インターネット上のホームページから文字データや画像データを入手するようにしても良い。
【００８８】
図１０（Ｄ）に示したように、光ディスク記録装置１は、直交座標系の画像６３が設定されると（ｓ４３）、既に取得している記録形光ディスクの空きエリアの情報に基づいて、設定された画像データを光ディスクに重畳した画像（可視画像のイメージ画像）６４を表示部４に表示させる（ｓ４４）。そして、メイン制御部７は、可視画像の編集を行うか否かをユーザに問い合わせる表示６５を表示部４に表示させる（ｓ４５）。ユーザは、表示部４に表示された可視画像の形成後の表示画像で良ければ、表示部４に表示された決定ボタンを選択して、光ディスク記録装置１に可視画像の形成を指示する。一方、ユーザは表示部４に表示された可視画像の形成後の表示画像に問題がある場合、可視画像の形成位置を変更したり可視画像のサイズを調整したりして、表示された画像の加工を行う（ｓ４６）。そして、調整が完了すれば決定ボタンを選択して、光ディスク記録装置１に可視画像の形成を指示する。
【００８９】
光ディスク記録装置１のメイン制御部７は、ユーザから可視画像の形成指示があると、ユーザによって設定された直交座標系の画像データを極座標系の画像データに変換する（ｓ４７）。続いて、メイン制御部７は、この極座標系の画像データに基づいて光ディスクに可視画像を形成した場合の形成開始アドレスと形成終了アドレスとを計算で求める。また、可視画像形成情報を記録した際の最終アドレス、つまり次の可視画像形成情報を記録開始可能なアドレスを計算で求めて、可視画像形成情報をメイン記憶部６に格納する（ｓ４８）。そして、メイン記憶部６に格納した可視画像形成情報を読み出した可視画像形成情報、又はメイン制御部７で保持している可視画像形成情報を光ディスクに記録し、さらに可視画像形成情報に基づいて可視画像を光ディスクに形成して（ｓ４９）、可視画像形成処理を終了する。
【００９０】
［第３形態］
次に、本発明の光ディスク記録装置が、複数の可視画像を形成又は追記する場合の動作について説明する。本発明の光ディスク記録装置１は、前記のように可視画像及び可視画像形成情報を光ディスクに記録する。そのため、光ディスク記録装置１で可視画像を形成した光ディスクには、可視画像形成情報を参照することで、可視画像を追記（書き継ぎ）することができる。
【００９１】
図１１は、複数の可視画像を形成した場合のデータ構成を示した図である。光ディスク記録装置１は、光ディスクに複数の可視画像を形成する場合、図１１に示したように複数のデータ構成パターンで可視画像を形成することができる。また、本発明の光ディスク記録装置１は、前記のように、可視画像形成情報として、可視画像の画像データ、可視画像の形成開始位置情報、可視画像の形成終了位置情報、次の可視画像形成情報を記録開始可能なアドレス、及びその他の情報を光ディスクに記録している。
【００９２】
ここで、メイン制御部７は、複数の可視画像を光ディスクに形成する場合、可視画像形成情報のみを記録したセッション（以下、ＶＩＳと称する。）１及び可視画像（図ではＶＩと表記）１を記録・形成する際に、ユーザデータが記録されているときは、ディスククローズを行ってから、ディスククローズを行ったデータセッションに引き続いてＶＩＳ１を記録する。これにより、可視画像形成情報は、通常の光ディスク記録再生装置では読み出すことができず、隠し情報として取り扱うことができ、特定の光ディスク記録装置でのみ、光ディスクに記録された可視画像形成情報を読み出して、可視画像を形成できるようにすることもできる。
【００９３】
複数の可視画像を形成するデータ構成パターンとしては、図１１（Ａ）に示したように、ＶＩＳの直後に可視画像を形成して、複数のＶＩＳ及び可視画像を記録・形成することができる。ＶＩＳ１に記録する可視画像の形成開始位置、及び形成終了位置は、可視画像１を形成する前に計算により求めて、ＶＩＳ１を記録し、続いて可視画像１を形成しておくことができる。この場合、可視画像１の形成終了位置は多少変動することがあるため、次のＶＩＳ２を記録開始可能なアドレスとして、計算で求めた可視画像１の形成終了位置情報に所定のアドレスだけ増加させたアドレスを適用するようにすると良い。
【００９４】
また、予めＶＩＳ１のデータ量を計算しておき、ＶＩＳ１を記録する空きエリアを第１セッションの後に空けて可視画像１を形成し、可視画像１の形成開始アドレス及び形成終了アドレスを取得してから、ＶＩＳ１を記録することもできる。
【００９５】
メイン制御部７は、可視画像を追記する場合、前のＶＩＳ（例えばＶＩＳ２を記録する場合はＶＩＳ１）を読み取って、次の可視画像形成情報を記録開始可能なアドレスを取得して、このアドレスから追記するＶＩＳを記録する。ＶＩＳ３及び可視画像３以降についても、同様にして記録する。
【００９６】
また、図１１（Ｂ）に示したように、光ディスク記録装置１は、第１セッションの後にＶＩＳを連続して記録し、可視画像を外周側から連続して形成することもできる。この場合、可視画像１の後端部が光ディスクの形成エリアの最外周になるように計算してから可視画像１を内周側から形成する。また、ＶＩＳ１に記録する可視画像の形成開始位置、及び形成終了位置は、可視画像１を形成する前に計算により求めて、ＶＩＳ１を記録し、続いて可視画像１を形成しておくことができる。また、可視画像１を形成し、可視画像１の形成開始アドレス及び形成終了アドレスを取得してから、ＶＩＳ１を記録することもできる。
【００９７】
メイン制御部７は、可視画像を追記する場合、前のＶＩＳ（例えばＶＩＳ２を記録する場合はＶＩＳ１）を読み取って、次の可視画像形成情報（ＶＩＳ２）を記録可能なアドレスを取得して、このアドレスの位置からＶＩＳ２を記録する。また、メイン制御部７は、可視画像２の後端部が可視画像１の前端部になるように計算してから、可視画像２を内周側から形成する。さらに、メイン制御部７は、ＶＩＳ３及び可視画像３以降も同様にして記録する。
【００９８】
さらに、図１１（Ｃ）に示したように、第１セッションの後にＶＩＳを連続して記録し、可視画像を任意の位置から順番に外周側へ形成することもできる。この場合、可視画像１の形成開始アドレスは、複数のＶＩＳが記録できるように、ＶＩＳ１の終端から所定の間隔を空けた位置となるように設定する必要がある。
【００９９】
また、ＶＩＳ１に記録する可視画像の形成開始位置及び形成終了位置は、可視画像１を形成する前に計算により求めて、ＶＩＳ１を記録し、続いて可視画像１を形成しておくことができる。また、可視画像１を形成し、可視画像１の形成開始アドレス及び形成終了アドレスを取得してから、ＶＩＳ１を記録することもできる。
【０１００】
メイン制御部７は、可視画像を追記する場合、前のＶＩＳ（例えばＶＩＳ２を記録する場合はＶＩＳ１）を読み取って、次の可視画像形成情報（ＶＩＳ２）を記録可能なアドレスを取得して、このアドレスの位置からＶＩＳ２を記録する。また、可視画像２の前端部が可視画像１の後端部になるように計算してから可視画像２を記録しても良いし、図１１（Ｃ）に示したように、可視画像２の前端部と可視画像１の後端部とに多少の間隔を設けるようにすることもできる。ＶＩＳ３及び可視画像３以降も同様にして記録する。
【０１０１】
光ディスク記録装置１は、具体的には、以下のような手順で可視画像の形成、及び追記を行う。図１２は、光ディスク記録装置の可視画像形成・追記の動作を説明するためのフローチャートである。ここで、光ディスク記録装置１にセットした光ディスクは、記録形光ディスクとする。また、以下の説明では、ＶＩＳに記録する可視画像の形成開始位置、及び形成終了位置は、可視画像を形成する前に計算により求めて、ＶＩＳを記録し、続いて可視画像を形成するものとし、この処理の詳細は記載を省略する。
【０１０２】
光ディスク記録装置１のメイン制御部７は、まず、セットされた光ディスクがブランクディスクであるか否かを制御部１６に判定させる（ｓ５１）。セットされた光ディスクがブランクディスクの場合は、ダミーセッションを記録するか否かをユーザに問い合わせる（ｓ５２）。なお、この時のダミーセッションデータはユーザデータ又はダミーデータとする。ユーザが入力部５を操作して、光ディスクにダミーセッションを記録しない選択をした場合、メイン制御部７は可視画像の形成処理を終了する。一方、ｓ５２において、ユーザが入力部５を操作して、光ディスクにダミーセッションを記録する選択をした場合、メイン制御部７は、制御部１６に光ディスクにダミーセッションを記録させて、ディスククローズ状態とする（ｓ５３）。そして、制御部１６は、メイン記憶部６に格納された可視画像形成情報を読み出して、光ディスクの空きエリア（未記録領域）に可視画像形成情報を記録して（ｓ５８）、さらに、可視画像形成情報に基づいて、光ディスクの空きエリアに可視画像を形成する（ｓ５９）。メイン制御部７は、可視画像を追記するか否かをユーザに問い合わせる（ｓ６０）。ユーザが入力部５を操作して、光ディスクに可視画像を追記しない選択をした場合は、可視画像形成処理を終了する。一方、ｓ６０において、ユーザが入力部５を操作して、光ディスクに可視画像追記する選択した場合、メイン制御部７は、直前に記録した可視画像形成情報を読み出して、次の可視画像形成情報及び可視画像の形成位置情報を取得する（ｓ６１）。そして、ｓ５８以降の処理を行う。
【０１０３】
一方、ｓ５１において、セットされた光ディスクがブランクディスクでない場合は、次に、光ディスクがディスククローズされているかどうかを判定する（ｓ５４）。光ディスクがディスククローズされている場合は、続いて、ＶＩＳが記録されているか否かを確認させる（ｓ５５）。光ディスクにＶＩＳが記録されている場合は、可視画像の追記であるため、ｓ６１以降の処理を行う。一方、ｓ５５において、光ディスクにＶＩＳが記録されていない場合は、ｓ５８以降の処理を行う。
【０１０４】
また、ｓ５４において、ディスククローズされていない場合は、この光ディスクをディスククローズするか否かについてユーザに問い合わせする（ｓ５６）。ユーザが入力部５を操作して、光ディスクをディスククローズしない選択をした場合、メイン制御部７は可視画像の形成処理を終了する。一方、ユーザが入力部５を操作して、光ディスクをディスククローズするように選択した場合、メイン制御部７は、光ディスクのディスククローズ状態とし（ｓ５７）、続いてｓ５８以降の処理を行う。
【０１０５】
ここで、光ディスク記録装置１は、光ディスクに追記する可視画像を決定する際に、可視画像作成プログラムがユーザによって起動されると、光ディスクに記録されている可視画像形成情報及び空きエリアの情報を取得して、表示部４にイメージ画像を表示する。また、光ディスク記録装置１は、ユーザによって、これから形成する可視画像が設定されると、表示部４にこの画像をイメージ画像に重畳して表示する。したがって、ユーザは、このイメージ画像を確認しながら、新たな可視画像の設定や配置の調整をすることができる。
【０１０６】
［第４形態］
次に、本発明の光ディスク記録装置が、可視画像を複製する動作について説明する。本発明の光ディスク記録装置１は、光ディスクを複製する際に、元の光ディスクに可視画像形成情報が記録されていた場合、この可視画像形成情報を別の光ディスクに複製するとともに、この可視画像形成情報に基づいて、別の光ディスクに可視画像を形成する。これにより、従来複製が不可能であった可視画像を、容易に複製することができる。また、元の光ディスクに形成された可視画像と略同様の可視画像を、別の光ディスクに形成できる。
【０１０７】
また、本発明の光ディスク記録装置１は、元の光ディスクに可視画像が形成されておらず、可視画像形成情報のみが記録されている場合でも、この可視画像形成情報を別の光ディスクに複製するとともに、この可視画像形成情報に基づいて別の光ディスクに可視画像を形成する。これにより、例えば、どの光ディスクを複製したものであるかを容易に把握できる。また、可視画像の形成されていない光ディスクを複製すると、複製した光ディスクに新たな画像パターンを出現させることができるので、例えば、広告などに利用することができる。
【０１０８】
図１３は、本発明の光ディスク記録装置の光ディスク複製動作を説明するためのフローチャートである。光ディスク記録装置１のメイン制御部７は、まず、制御部１６に複製元の光ディスクの各セッションに記録されたデータを確認させる（ｓ７１）。メイン制御部７は、各セッションに記録されたデータが可視画像形成情報を含んでいた場合（ｓ７２）、光ディスクに記録されたデータを、メイン記憶部６に一旦格納する（ｓ７７）。そして、メイン制御部７は、メイン記憶部６に格納したデータを、別の光ディスクに記録する（ｓ７８）。続いて、メイン制御部７は、メイン記憶部６に格納していた可視画像形成情報に基づいて、この別の光ディスクに可視画像を形成して（ｓ７９）、処理を終了する。
【０１０９】
一方、メイン制御部７は、ｓ７２において、各セッションのデータとして可視画像形成情報が記録されていない場合、続いて、記録完結処理したデータエリア外に可視画像形成情報が記録されていないか否かを確認する（ｓ７３）。メイン制御部７は、記録完結状態となったデータエリア外に可視画像形成情報が記録されていた場合（ｓ７４）、ｓ７７の処理を行う。また、メイン制御部７は、ｓ７４において、記録完結状態となったデータエリア外に可視画像形成情報が記録されていなかった場合、元の光ディスクのデータを、メイン記憶部６に一旦格納する（ｓ７５）。そして、メイン制御部７は、メイン記憶部６に格納したデータを、別の光ディスクに記録して（ｓ７６）、処理を終了する。
【０１１０】
なお、光ディスクに記録されたデータの複製動作としては、以下のようにしても良い。すなわち、まず、ユーザデータを複写してから、可視画像形成情報の有無を確認して、可視画像形成情報が記録されている場合は、この可視画像形成情報を複写する。そして、この可視画像形成情報に基づいて可視画像を複写先の光ディスクに形成する。
【図面の簡単な説明】
【０１１１】
【図１】本発明の実施形態に係る光ディスク記録装置の構成を示したブロック図である。
【図２】光ディスクＤの領域構成を示した断面図である。
【図３】光ディスクに記録したデータ構成を示した図である。
【図４】光ディスク記録装置の可視画像形成動作を説明するためのフローチャートである。
【図５】直交座標系の画像及び可視画像用の極座標系の画像を示した図である。
【図６】光ディスクに記録したデータの構成図である。
【図７】光ディスク記録装置１が可視画像形成情報及び可視画像を形成する動作を説明するためのフローチャートである。
【図８】光ディスク記録装置１が可視画像形成情報及び可視画像を形成する動作を説明するためのフローチャートである。
【図９】光ディスク記録装置１で光ディスクに形成する可視画像を決定する際の具体的な手順を説明するためのフローチャートである。
【図１０】可視画像作成プログラムの表示例である。
【図１１】複数の可視画像を形成した場合のデータ構成を示した図である。
【図１２】光ディスク記録装置の可視画像形成・追記の動作を説明するためのフローチャートである。
【図１３】本発明の光ディスク記録装置の光ディスク複製動作を説明するためのフローチャートである。
【符号の説明】
【０１１２】
Ｄ−光ディスク
１−光ディスク記録装置
６−メイン記憶部
７−メイン制御部
１０−光ピックアップ
１６−制御部
１８−ストラテジ回路
２０−レーザパワー制御回路
２５−記憶部
【図１】
2006302503.tif 000003
【図２】
2006302503.tif 000004
【図３】
2006302503.tif 000005
【図４】
2006302503.tif 000006
【図５】
2006302503.tif 000007
【図６】
2006302503.tif 000008
【図７】
2006302503.tif 000009
【図８】
2006302503.tif 000010
【図９】
2006302503.tif 000011
【図１０】
2006302503.tif 000012
【図１１】
2006302503.tif 000013
【図１２】
2006302503.tif 000014
【図１３】
2006302503.tif 000015